(57)【要約】【課題】少ない流量で光学素子の表面全体を効率的に冷却できるプロジェクターを提供する。【解決手段】プロジェクター１は、光学素子３６の表面に沿って冷却流体を流通させる冷却装置４を備える。冷却装置４は、光学素子３６における第１端縁側から光学素子３６の表面に沿って互いに平行に冷却流体を吐出する３つの第１吐出部Ｓ１と、光学素子３６における第１端縁とは異なる第２端縁側から光学素子３６の表面に沿って互いに平行に冷却流体を吐出する３つの第２吐出部Ｓ２と、第１，第２吐出部Ｓ１，Ｓ２にそれぞれ設けられ、吐出される冷却流体の流量を変更する流量変更部６３，７３とを備える。【選択図】図２
2013109128.tif 000002
【特許請求の範囲】
【請求項１】
光学素子の表面に沿って冷却流体を流通させる冷却装置を備えたプロジェクターであって、
前記冷却装置は、
前記光学素子における第１端縁側から前記光学素子の表面に沿って互いに平行に前記冷却流体を吐出する複数の第１吐出部と、
前記光学素子における前記第１端縁とは異なる第２端縁側から前記光学素子の表面に沿って互いに平行に前記冷却流体を吐出する複数の第２吐出部と、
前記複数の第１吐出部、及び前記複数の第２吐出部のうち少なくともいずれかに設けられ、吐出される冷却流体の流量を変更する流量変更部とを備える
ことを特徴とするプロジェクター。
【請求項２】
請求項１に記載のプロジェクターにおいて、
前記複数の第１吐出部は、
前記光学素子に入射する光束の光軸に沿う方向から見て、前記光学素子を、前記光軸が通る位置を含む中心側領域と前記中心側領域を除く外周側領域とに仮想的に分割した場合に、
前記中心側領域に向けて前記冷却流体を吐出する第１中心吐出部と、
前記第１中心吐出部を挟む両側にそれぞれ設けられ、前記外周側領域に向けて前記冷却流体を吐出する第１外周吐出部とを備え、
前記複数の第２吐出部は、
前記中心側領域に向けて前記冷却流体を吐出する第２中心吐出部と、
前記第２中心吐出部を挟む両側にそれぞれ設けられ、前記外周側領域に向けて前記冷却流体を吐出する第２外周吐出部とを備える
ことを特徴とするプロジェクター。
【請求項３】
請求項２に記載のプロジェクターにおいて、
前記流量変更部の動作を制御する制御装置を備え、
前記第１端縁及び前記第２端縁は、
互いに交差する端縁であり、
前記制御装置は、
前記流量変更部の動作を制御し、所定の設定時間内に、前記複数の第１吐出部及び前記複数の第２吐出部からの吐出方向の各交差位置の全てで前記冷却流体を衝突させる
ことを特徴とするプロジェクター。
【請求項４】
請求項３に記載のプロジェクターにおいて、
前記制御装置は、
前記設定時間内で、前記中心側領域での前記冷却流体の衝突時間が前記外周側領域での前記冷却流体の衝突時間よりも長くなるように、前記流量変更部の動作を制御する
ことを特徴とするプロジェクター。
【請求項５】
請求項３または請求項４に記載のプロジェクターにおいて、
前記第１吐出部及び前記第２吐出部は、
３つずつ設けられ、
前記流量変更部は、
３つの前記第１吐出部、及び３つの前記第２吐出部にそれぞれ設けられ、
前記制御装置は、
前記設定時間内で、２つの前記第１吐出部及び２つの前記第２吐出部から吐出された冷却流体を同時に衝突させる第１状態と、１つの前記第１吐出部及び１つの前記第２吐出部から吐出された冷却流体を衝突させる第２状態とに切り替える
ことを特徴とするプロジェクター。
【請求項６】
請求項３または請求項４に記載のプロジェクターにおいて、
前記第１吐出部及び前記第２吐出部は、
３つずつ設けられ、
前記流量変更部は、
３つの前記第１吐出部のうち、前記第２端縁に最も離間した前記第１端縁側から前記冷却流体を吐出する第１吐出部を除く２つの前記第１吐出部にそれぞれ設けられた２つの第１流量変更部と、
３つの前記第２吐出部のうち、前記第１端縁に最も離間した前記第２端縁側から前記冷却流体を吐出する第２吐出部を除く２つの前記第２吐出部にそれぞれ設けられた２つの第２流量変更部とを備える
ことを特徴とするプロジェクター。
【発明の詳細な説明】
【技術分野】
【０００１】
本発明は、プロジェクターに関する。
【背景技術】
【０００２】
従来、プロジェクターにおいて、液晶パネルや偏光板等の光学素子の表面に沿って空気を流通させ、当該光学素子を冷却する冷却装置が知られている（例えば、特許文献１参照）。
特許文献１に記載の冷却装置は、光学素子の表面上で第１の方向に沿って空気を流す第１の空冷部と、光学素子の表面上で第１の方向に交差する第２の方向に沿って空気を流す第２の空冷部とを備える。
そして、第１の方向に沿って流れる空気と第２の方向に沿って流れる空気とを衝突させ、当該衝突によって、光学素子の表面に沿って乱流の状態で空気を流通させている。
すなわち、乱流による冷却を利用することで、光学素子の表面に存在する速度境界層（空気の流速の変化が激しい薄い層の領域（表面で流速がゼロ））を薄くして、流通する空気と光学素子との間で熱交換を良好に行わせている。
【先行技術文献】
【特許文献】
【０００３】
【特許文献１】特開２００９−９２８４２号公報
【発明の概要】
【発明が解決しようとする課題】
【０００４】
しかしながら、特許文献１に記載の冷却装置では、光学素子の表面上の光軸が通る位置（中心位置）で空気を衝突させ、当該衝突によって生じた乱流を利用して光学素子を冷却しているため、光学素子の表面全体の広範囲を冷却するためには、空気を高速で、かつ光学素子の表面全体の広範囲に流通させる必要がある。すなわち、多くの流量が必要となる、という問題がある。
【０００５】
本発明の目的は、少ない流量で光学素子の表面全体を効率的に冷却できるプロジェクターを提供することにある。
【課題を解決するための手段】
【０００６】
本発明のプロジェクターは、光学素子の表面に沿って冷却流体を流通させる冷却装置を備えたプロジェクターであって、前記冷却装置は、前記光学素子における第１端縁側から前記光学素子の表面に沿って互いに平行に前記冷却流体を吐出する複数の第１吐出部と、前記光学素子における前記第１端縁とは異なる第２端縁側から前記光学素子の表面に沿って互いに平行に前記冷却流体を吐出する複数の第２吐出部と、前記複数の第１吐出部、及び前記複数の第２吐出部のうち少なくともいずれかに設けられ、吐出される冷却流体の流量を変更する流量変更部とを備えることを特徴とする。
【０００７】
本発明では、冷却装置は、上述した複数の第１，第２吐出部を備える。
このことにより、光学素子の表面上において、複数の第１吐出部から吐出された冷却流体と、複数の第２吐出部から吐出された冷却流体とを衝突させ、当該衝突により生じる乱流を利用して、当該衝突位置付近の領域を冷却できる。
そして、冷却装置は、上述した流量変更部を備えるので、流量変更部を適宜、動作させれば、光学素子の表面上での冷却流体の衝突位置を変更できる。
すなわち、光学素子の表面を仮想的に複数の領域に分割した場合に、流量変更部を適宜、動作させて冷却流体の衝突位置を変更すれば、上記複数の領域のうち少なくとも１つの領域毎に冷却流体の衝突を順次、生じさせ、乱流を利用して順次、冷却できる。そして、上記複数の領域のうち少なくとも１つの領域毎に乱流を利用して冷却することで、光学素子の表面全体を冷却できる。
以上のように光学素子の表面全体を冷却することで、従来のように光学素子の表面上の光軸が通る位置での冷却流体の衝突により生じる乱流を利用して光学素子の表面全体を冷却する構成と比較して、流量を少なくすることができる。
【０００８】
本発明のプロジェクターでは、前記複数の第１吐出部は、前記光学素子に入射する光束の光軸に沿う方向から見て、前記光学素子を、前記光軸が通る位置を含む中心側領域と前記中心側領域を除く外周側領域とに仮想的に分割した場合に、前記中心側領域に向けて前記冷却流体を吐出する第１中心吐出部と、前記第１中心吐出部を挟む両側にそれぞれ設けられ、前記外周側領域に向けて前記冷却流体を吐出する第１外周吐出部とを備え、前記複数の第２吐出部は、前記中心側領域に向けて前記冷却流体を吐出する第２中心吐出部と、前記第２中心吐出部を挟む両側にそれぞれ設けられ、前記外周側領域に向けて前記冷却流体を吐出する第２外周吐出部とを備えることが好ましい。
【０００９】
ところで、プロジェクターでは、光学素子に光束を照射する場合、光学素子の表面全体を均一に照射することはできず、光学素子の表面に照度分布が生じるものである。すなわち、光学素子の表面には、高い照度の領域の温度が高く、低い照度の領域の温度が低くなり、照度分布に応じて温度分布が生じることとなる。
そして、光学素子の表面における照度分布としては、通常、光束の中心である光軸が通る位置の照度が高く、光軸から離れるにしたがって照度が低くなるものである。すなわち、光学素子の表面における温度分布も照度分布に対応し、光軸が通る位置の温度が高く、光軸から離れるにしたがって温度が低くなるものである。
【００１０】
本発明では、複数の第１，第２吐出部は、上述した第１，第２中心吐出部を備える。
このことにより、第１，第２中心吐出部から吐出された冷却流体を衝突させ、当該衝突により生じる乱流を利用して、中心側領域を冷却できる。すなわち、第１，第２中心吐出部を設けることで、光学素子の表面において、外周側領域に対して温度の高い中心側領域で冷却流体の衝突を確実に生じさせ、当該衝突により生じる乱流を利用して中心側領域を確実に冷却できる。
また、複数の第１吐出部は、第１中心吐出部を挟む両側にそれぞれ設けられた第１外周吐出部を備える。複数の第２吐出部も同様の第２外周吐出部を備える。
このことにより、第１，第２中心吐出部の他、第１，第２外周吐出部から吐出された冷却流体により、中心側領域の他、外周側領域でも冷却流体の衝突を順次、生じさせ、光学素子の表面全体を効果的に冷却できる。
【００１１】
本発明のプロジェクターでは、前記流量変更部の動作を制御する制御装置を備え、前記第１端縁及び前記第２端縁は、互いに交差する端縁であり、前記制御装置は、前記流量変更部の動作を制御し、所定の設定時間内に、前記複数の第１吐出部及び前記複数の第２吐出部からの吐出方向の各交差位置の全てで前記冷却流体を衝突させることが好ましい。
本発明では、第１，第２端縁は、光学素子における互いに交差する端縁である。
このことにより、流量変更部の構成として、当該流量変更部が設置された吐出部から冷却流体を吐出させる状態、または吐出させない状態の２つの状態に切り替える構成を採用することができる。
すなわち、流量変更部を上述したように構成しても、制御装置は、流量変更部を上述した２つの状態のいずれかに設定することで、所定の設定時間内に、複数の第１，第２吐出部からの吐出方向の各交差位置の全てで冷却流体を衝突させることができる。
したがって、流量変更部の構成、及び制御装置の制御構造を簡素化しつつ、光学素子の表面全体を効果的に冷却できる。
また、制御装置が上記設定時間内での処理を繰り返し実施すれば、光学素子の表面全体を継続して効果的に冷却できる。
【００１２】
本発明のプロジェクターでは、前記制御装置は、前記設定時間内で、前記中心側領域での前記冷却流体の衝突時間が前記外周側領域での前記冷却流体の衝突時間よりも長くなるように、前記流量変更部の動作を制御することが好ましい。
本発明では、制御装置が上述したように流量変更部の動作を制御するので、所定の設定時間内で、外周側領域よりも温度の高い中心側領域を重点的に冷却できる。
すなわち、光学素子の表面における温度分布に対応させて、光学素子の表面全体を効果的に冷却できる。
【００１３】
本発明のプロジェクターでは、前記第１吐出部及び前記第２吐出部は、３つずつ設けられ、前記流量変更部は、３つの前記第１吐出部、及び３つの前記第２吐出部にそれぞれ設けられ、前記制御装置は、前記設定時間内で、２つの前記第１吐出部及び２つの前記第２吐出部から吐出された冷却流体を同時に衝突させる第１状態と、１つの前記第１吐出部及び１つの前記第２吐出部から吐出された冷却流体を衝突させる第２状態とに切り替えることが好ましい。
【００１４】
ところで、制御装置による処理として、所定の設定時間内に一貫して、１つずつの第１，第２吐出部から吐出された冷却流体を衝突させるように流量変更部を制御した場合には、以下の問題が生じてしまう。
すなわち、３つずつの第１，第２吐出部からの吐出方向の９つの各交差位置のうち、１つずつの交差位置で冷却流体の衝突を順次、生じさせることとなるため、全ての交差位置で冷却流体の衝突を終えるまでに多くの時間が掛かってしまう。言い換えれば、上記設定時間が長くなってしまう。
【００１５】
本発明では、制御装置が上述したように流量変更部の動作を制御するので、３つずつの第１，第２吐出部からの吐出方向の９つの各交差位置のうち、２つの交差位置で冷却流体の衝突を同時に生じさせることができる。
このため、設定時間内に一貫して１つずつの第１，第２吐出部から吐出された冷却流体を衝突させるように流量変更部を制御する場合と比較して、全ての交差位置で冷却流体の衝突を終えるまでの時間（設定時間）を短くすることができる。
したがって、制御装置が上記設定時間内での処理を繰り返し実施する際、ある周期から次の周期に移行するまでの光学素子の温度上昇を抑制し、光学素子の温度を低い状態で良好に維持できる。
【００１６】
本発明のプロジェクターでは、前記第１吐出部及び前記第２吐出部は、３つずつ設けられ、前記流量変更部は、３つの前記第１吐出部のうち、前記第２端縁に最も離間した前記第１端縁側から前記冷却流体を吐出する第１吐出部を除く２つの前記第１吐出部にそれぞれ設けられた２つの第１流量変更部と、３つの前記第２吐出部のうち、前記第１端縁に最も離間した前記第２端縁側から前記冷却流体を吐出する第２吐出部を除く２つの前記第２吐出部にそれぞれ設けられた２つの第２流量変更部とを備えることが好ましい。
【００１７】
本発明では、流量変更部は、上述した２つずつの第１，第２流量変更部を備える。
このことにより、制御装置が２つずつの第１，第２流量変更部の動作を適宜、制御することで、３つずつの第１，第２吐出部からの吐出方向の９つの各交差位置のうち、３つの交差位置で冷却流体の衝突を同時に生じさせたり、２つの交差位置で冷却流体の衝突を同時に生じさせたりすることができる。
このため、設定時間内に一貫して１つずつの第１，第２吐出部から吐出された冷却流体を衝突させるように流量変更部を制御する場合と比較して、全ての交差位置で冷却流体の衝突を終えるまでの時間（設定時間）を短くすることができる。
したがって、制御装置が上記設定時間内での処理を繰り返し実施する際、ある周期から次の周期に移行するまでの光学素子の温度上昇を抑制し、光学素子の温度を低い状態で良好に維持できる。
また、流量変更部の数を低減できるため、冷却装置の構造の簡素化が図れるとともに、制御装置による処理負荷も軽減できる。
【図面の簡単な説明】
【００１８】
【図１】第１実施形態におけるプロジェクターの概略構成を示す図。
【図２】第１実施形態における冷却装置の構成を模式的に示す図。
【図３】第１実施形態における制御装置の処理による空気の流れの一例を示す図。
【図４】第１実施形態における制御装置による処理を説明するための図。
【図５】第２実施形態における冷却装置の構成を模式的に示す図。
【図６】第２実施形態における制御装置による処理を説明するための図。
【図７】各実施形態の変形例を示す図。
【発明を実施するための形態】
【００１９】
[第１実施形態]
以下、本発明の第１実施形態を図面に基づいて説明する。
〔プロジェクターの構成〕
図１は、プロジェクター１の概略構成を示す図である。
プロジェクター１は、画像を投射してスクリーン（図示略）上に投影画像を表示する。
そして、このプロジェクター１は、図１に示すように、外装筐体２内部に収納される光学ユニット３及び冷却装置４（図２参照）を備える。
【００２０】
〔光学ユニットの構成〕
光学ユニット３は、図１に示すように、発光管３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、３つの入射側偏光板３５と、光変調装置（光学素子）としての３つの液晶パネル３６と、３つの出射側偏光板３７と、色合成光学装置としてのクロスダイクロイックプリズム３８と、投射光学装置としての投射レンズ３９とを備える。
そして、光学ユニット３では、上述した構成により、光源装置３１から出射され照明光学装置３２を介した光束は、色分離光学装置３３にて赤（Ｒ）、緑（Ｇ）、青（Ｂ）の３つの色光に分離される。また、分離された各色光は、各液晶パネル３６にてそれぞれ変調される。変調された各色光は、プリズム３８にて合成されて画像となり、投射レンズ３９にてスクリーンに投射される。
【００２１】
〔冷却装置の構成〕
図２は、冷却装置４の構成を模式的に示す図である。具体的に、図２は、光軸Ａｘに沿って液晶パネル３６の光入射側から見た図である。
なお、図２では、説明の便宜上、後述する左，下側ダクト部材６２，７２の一部を省略及び破断している。
また、図２では、光軸Ａｘに沿う方向から見て、液晶パネル３６を９つの領域Ａｒに仮想的に分割（図２中、１点鎖線にて分割）している。さらに、各領域Ａｒを識別し易くするために、各領域Ａｒ内に「Ａ」〜「Ｉ」の文字を記載している。
ここで、「Ｅ」の文字が付された領域Ａｒは、液晶パネル３６の表面（光入射面）における光軸Ａｘが通る位置を含む中心側領域ＡｒＯである。そして、「Ａ」〜「Ｄ」、「Ｆ」〜「Ｉ」の文字が付された領域Ａｒは、中心側領域ＡｒＯを除く外周側領域ＡｒＥである。
さらに、図２では、空気の流れを矢印Ｆで示している。
また、図２では、後述する左，下側流量変更部６３，７３を閉塞位置に位置付けた状態を示している。
【００２２】
冷却装置４は、冷却流体を液晶パネル３６の表面（光入射面）に沿って流通させ、液晶パネル３６を冷却する。
本実施形態では、冷却流体として、空気を利用している。
そして、冷却装置４は、図２に示すように、冷却装置本体５Ａと、駆動装置５Ｂと、制御装置５Ｃとを備える。
なお、冷却装置４は、Ｒ，Ｇ，Ｂ色光側に配設された各液晶パネル３６に対応させてそれぞれ設けられているものである。そして、各冷却装置４は、それぞれ同様の構成を有しているため、以下では、１つの冷却装置４のみを説明する。
【００２３】
〔冷却装置本体の構成〕
冷却装置本体５Ａは、図２に示すように、光入射側から見て、液晶パネル３６における左端縁（第１端縁）側から空気を吐出する左側冷却装置６と、液晶パネル３６における左端縁に交差する下端縁（第２端縁）側から空気を吐出する下側冷却装置７とを備える。
【００２４】
〔左側冷却装置の構成〕
左側冷却装置６は、図２に示すように、左側冷却ファン６１と、左側ダクト６２と、３つの左側流量変更部６３とを備える。
左側ダクト６２は、筒体で構成され、一端が左側冷却ファン６１に接続し、他端が液晶パネル３６における光入射側から見て左端縁に対向し、左側冷却ファン６１からの空気を液晶パネル３６の左側から吐出する。
なお、左側ダクト６２の幅寸法（図２中、上下方向の長さ寸法）は、液晶パネル３６における左端縁（短辺）の長さ寸法（図２中、上下方向の長さ寸法）と略同一となるように設定されている。
【００２５】
また、左側ダクト６２内部において、他端側には、図２に示すように、当該他端側の空間を３つの空間Ｓｐ１〜Ｓｐ３に区画する第１，第２区画部６２１，６２２が鉛直方向（図２中、上下方向）に並設されている。
第１，第２区画部６２１，６２２は、光軸Ａｘに沿う方向から見て、水平方向（図２中、左右方向）に延びる板状に形成されている。
すなわち、左側冷却ファン６１から左側ダクト６２に導入された空気は、他端側において、第１、第２区画部６２１，６２２にて３つに分岐される。
【００２６】
そして、上側の空間Ｓｐ１に分岐された空気は、「Ａ」〜「Ｃ」の文字が付された外周側領域ＡｒＥに向けて吐出される。
また、中央の空間Ｓｐ２に分岐された空気は、「Ｅ」の文字が付された中心側領域ＡｒＯに向けて吐出される。
さらに、下側の空間Ｓｐ３に分岐された空気は、「Ｇ」〜「Ｉ」の文字が付された外周側領域ＡｒＥに向けて吐出される。
なお、各空間Ｓｐ１〜Ｓｐ３に分岐された空気は、互いに平行に吐出されるものである。
すなわち、中央の空間Ｓｐ２は、本発明に係る第１中心吐出部に相当する。また、上，下側の空間Ｓｐ１，Ｓｐ３は、中央の空間Ｓｐ２を挟んだ両側に設けられ、本発明に係る第１外周吐出部に相当する。
また、各空間Ｓｐ１〜Ｓｐ３は、本発明に係る第１吐出部Ｓ１（図２）に相当する。
【００２７】
以下では、説明の便宜上、空間Ｓｐ１を上側吐出部Ｓｐ１と記載し、空間Ｓｐ２を第１中心吐出部Ｓｐ２と記載し、空間Ｓｐ３を下側吐出部Ｓｐ３と記載する。
なお、本実施形態では、各吐出部Ｓｐ１〜Ｓｐ３の各流路断面積等を適宜、調整することで、第１中心吐出部Ｓｐ２から吐出された空気の流速は、上，下側吐出部Ｓｐ１，Ｓｐ３から吐出された空気の流速よりも大きくなるように設定されている。
【００２８】
３つの左側流量変更部６３は、各吐出部Ｓｐ１〜Ｓｐ３内部にそれぞれ回動可能に設けられ、制御装置５Ｃによる制御の下、回動することで、各吐出部Ｓｐ１〜Ｓｐ３の流路をそれぞれ開放、または閉塞する。
すなわち、３つの左側流量変更部６３は、各吐出部Ｓｐ１〜Ｓｐ３から空気を吐出させる状態、または吐出させない状態のいずれかに設定する。
以下では、説明の便宜上、上，下側吐出部Ｓｐ１，Ｓｐ３内部にそれぞれ設けられた左側流量変更部６３を上，下側切替部６３１，６３３（図２）と記載し、第１中心吐出部Ｓｐ２内部に設けられた左側流量変更部６３を第１中心切替部６３２（図２）と記載する。
【００２９】
〔下側冷却装置の構成〕
下側冷却装置７は、左側冷却装置６と同様に、図２に示すように、下側冷却ファン７１と、下側ダクト７２と、３つの下側流量変更部７３とを備える。
下側ダクト７２は、筒体で構成され、一端が下側冷却ファン７１に接続し、他端が液晶パネル３６における下端縁に対向し、下側冷却ファン７１からの空気を液晶パネル３６の下側から吐出する。
なお、下側ダクト７２は、幅寸法（図２中、左右方向の長さ寸法）が液晶パネル３６における下端縁（長辺）の長さ寸法（図２中、左右方向の長さ寸法）と略同一となるように、左側ダクト６２を大きくした形状に相当する。
このため、下側ダクト７２の他端側にも、図２に示すように、第１，第２区画部６２１，６２２及び空間Ｓｐ１〜Ｓｐ３に対応した第１，第２区画部７２１，７２２及び空間Ｓｐ４〜Ｓｐ６が設けられている。
【００３０】
すなわち、下側冷却ファン７１から下側ダクト７２に導入された空気は、他端側において、第１，第２区画部７２１，７２２にて３つに分岐される。
そして、左側の空間Ｓｐ４に分岐された空気は、「Ｇ」、「Ｄ」、「Ａ」の文字が付された外周側領域ＡｒＥに向けて吐出される。
また、中央の空間Ｓｐ５に分岐された空気は、「Ｅ」の文字が付された中心側領域ＡｒＯに向けて吐出される。
さらに、右側の空間Ｓｐ６に分岐された空気は、「Ｉ」、「Ｆ」、「Ｃ」の文字が付された外周側領域ＡｒＥに向けて吐出される。
なお、各空間Ｓｐ４〜Ｓｐ６に分岐された空気は、左側冷却装置６と同様に、互いに平行に吐出されるものである。
すなわち、中央の空間Ｓｐ５は、本発明に係る第２中心吐出部に相当する。また、左，右側の空間Ｓｐ４，Ｓｐ６は、中央の空間Ｓｐ５を挟んだ両側に設けられ、本発明に係る第２外周吐出部に相当する。
また、各空間Ｓｐ４〜Ｓｐ６は、本発明に係る第２吐出部Ｓ２（図２）に相当する。
【００３１】
以下では、説明の便宜上、空間Ｓｐ４を左側吐出部Ｓｐ４と記載し、空間Ｓｐ５を第２中心吐出部Ｓｐ５と記載し、空間Ｓｐ６を右側吐出部Ｓｐ６と記載する。
なお、第２中心吐出部Ｓｐ５から吐出された空気の流速は、左側冷却装置６と同様に、左，右側吐出部Ｓｐ４，Ｓｐ６から吐出された空気の流速よりも大きくなるように設定されている。
【００３２】
３つの下側流量変更部７３は、左側流量変更部６３と同様の機能を有するものであり、各吐出部Ｓｐ４〜Ｓｐ６内部にそれぞれ設けられている。
以下では、説明の便宜上、左，右側吐出部Ｓｐ４，Ｓｐ６内部にそれぞれ設けられた下側流量変更部７３を左，右側切替部７３４，７３６（図２）と記載し、第２中心吐出部Ｓｐ５内部に設けられた下側流量変更部７３を第２中心切替部７３５（図２）と記載する。
【００３３】
〔制御装置の構成〕
図３は、制御装置５Ｃの処理による空気の流れの一例を示す図である。
制御装置５Ｃは、６つの切替部６３１〜６３３，７３４〜７３６毎に設けられたモーター等の駆動装置５Ｂを介して、各切替部６３１〜６３３，７３４〜７３６の動作（流路の開閉動作）を独立して制御する。
例えば、制御装置５Ｃは、図３に示すように、第１，第２中心切替部６３２，７３５の２つを開放位置に位置付け、他の切替部６３１，６３３，７３４，７３６を閉塞位置に位置付ける。
各切替部６３１〜６３３，７３４〜７３６が上述した位置に位置付けられた場合には、各吐出部Ｓｐ１〜Ｓｐ６のうち、第１，第２中心吐出部Ｓｐ２，Ｓｐ５からのみ空気が吐出される。他の吐出部Ｓｐ１，Ｓｐ３，Ｓｐ４，Ｓｐ６からの空気は、各切替部６３１，６３３，７３４，７３６にて遮断される。
そして、第１，第２中心吐出部Ｓｐ２，Ｓｐ５から吐出された空気は、第１，第２中心吐出部Ｓｐ２，Ｓｐ５からの吐出方向の交差位置、すなわち、「Ｅ」の文字が付された中心側領域ＡｒＯ（光軸Ａｘ上）にて衝突することとなる。
【００３４】
図４は、制御装置５Ｃによる処理を説明するための図である。具体的に、図４（Ａ）は、予め設定された第１の設定時間ＴＣ１内での左，下側流量変更部６３，７３の駆動のタイミングチャートである。図４（Ｂ）は、図４（Ａ）に示すタイミングで左，下側流量変更部６３，７３を制御した際に、第１の設定時間ＴＣ１内において、９つの領域Ａｒで生じた空気の衝突発生回数を示している。
次に、上述した制御装置５Ｃによる処理について説明する。
先ず、制御装置５Ｃは、第１の設定時間ＴＣ１を６等分した第１〜第６期間Ｔ１〜Ｔ６のうち第１期間Ｔ１において、上，左側切替部６３１，７３４を開放位置に位置付け（図４（Ａ）中、「ＯＮ」の状態）、他の切替部６３２，６３３，７３５，７３６を閉塞位置に位置付ける（図４（Ａ）中、「ＯＦＦ」の状態）。
そして、第１期間Ｔ１では、上，左側吐出部Ｓｐ１，Ｓｐ４から吐出された空気により、上，左側吐出部Ｓｐ１，Ｓｐ４からの吐出方向の交差位置、すなわち、「Ａ」の文字が付された外周側領域ＡｒＥにて空気の衝突が生じる。
【００３５】
次に、制御装置５Ｃは、第２期間Ｔ２において、上側切替部６３１、第１中心切替部６３２、左側切替部７３４、及び第２中心切替部７３５を開放位置に位置付け、他の切替部６３３，７３６を閉塞位置に位置付ける。
そして、第２期間Ｔ２では、第１中心吐出部Ｓｐ２及び左側吐出部Ｓｐ４から吐出された空気により、各吐出部Ｓｐ２，Ｓｐ４からの吐出方向の交差位置、すなわち、「Ｄ」の文字が付された外周側領域ＡｒＥにて空気の衝突が生じる。
また、上側吐出部Ｓｐ１及び第２中心吐出部Ｓｐ５から吐出された空気により、各吐出部Ｓｐ１，Ｓｐ５からの吐出方向の交差位置、すなわち、「Ｂ」の文字が付された外周側領域ＡｒＥにて空気の衝突が生じる。
【００３６】
次に、制御装置５Ｃは、第３期間Ｔ３において、上側切替部６３１、第１中心切替部６３２、第２中心切替部７３５、及び右側切替部７３６を開放位置に位置付け、他の切替部６３３，７３４を閉塞位置に位置付ける。
そして、第３期間Ｔ３では、第１，第２中心吐出部Ｓｐ２，Ｓｐ５から吐出された空気により、「Ｅ」の文字が付された中心側領域ＡｒＯにて空気の衝突が生じる。
また、上，右側吐出部Ｓｐ１，Ｓｐ６から吐出された空気により、上，右側吐出部Ｓｐ１，Ｓｐ６からの吐出方向の交差位置、すなわち、「Ｃ」の文字が付された外周側領域ＡｒＥにて空気の衝突が生じる。
【００３７】
次に、制御装置５Ｃは、第４期間Ｔ４において、第１中心切替部６３２、下側切替部６３３、左側切替部７３４、及び第２中心切替部７３５を開放位置に位置付け、他の切替部６３１，７３６を閉塞位置に位置付ける。
そして、第４期間Ｔ４では、下，左側吐出部Ｓｐ３，Ｓｐ４から吐出された空気により、下，左側吐出部Ｓｐ３，Ｓｐ４からの吐出方向の交差位置、すなわち、「Ｇ」の文字が付された外周側領域ＡｒＥにて空気の衝突が生じる。
また、第１，第２中心吐出部Ｓｐ２，Ｓｐ５から吐出された空気により、「Ｅ」の文字が付された中心側領域ＡｒＯにて空気の衝突が生じる。
【００３８】
次に、制御装置５Ｃは、第５期間Ｔ５において、第１中心切替部６３２、下側切替部６３３、第２中心切替部７３５、及び右側切替部７３６を開放位置に位置付け、他の切替部６３１，７３４を閉塞位置に位置付ける。
そして、第５期間Ｔ５では、下側吐出部Ｓｐ３及び第２中心吐出部Ｓｐ５から吐出された空気により、各吐出部Ｓｐ３，Ｓｐ５からの吐出方向の交差位置、すなわち、「Ｈ」の文字が付された外周側領域ＡｒＥにて空気の衝突が生じる。
また、第１中心吐出部Ｓｐ２及び右側吐出部Ｓｐ６から吐出された空気により、各吐出部Ｓｐ２，Ｓｐ６からの吐出方向の交差位置、すなわち、「Ｆ」の文字が付された外周側領域ＡｒＥにて空気の衝突が生じる。
【００３９】
次に、制御装置５Ｃは、第６期間Ｔ６において、下，右側切替部６３３，７３６を開放位置に位置付け、他の切替部６３１，６３２，７３４，７３５を閉塞位置に位置付ける。
そして、第６期間Ｔ６では、下，右側吐出部Ｓｐ３，Ｓｐ６から吐出された空気により、各吐出部Ｓｐ３，Ｓｐ６からの吐出方向の交差位置、すなわち、「Ｉ」の文字が付された外周側領域ＡｒＥにて空気の衝突が生じる。
【００４０】
以上のように、制御装置５Ｃは、第１の設定時間ＴＣ１内において、各吐出部Ｓｐ１〜Ｓｐ６からの吐出方向の各交差位置の全てで空気の衝突を生じさせる。
具体的には、制御装置５Ｃは、図４（Ｂ）に示すように、「Ａ」〜「Ｄ」、及び「Ｆ」〜「Ｉ」の文字が付された各外周側領域ＡｒＥにて空気の衝突発生回数が１回、「Ｅ」の文字が付された中心側領域ＡｒＯにて空気の衝突発生回数が２回となるように、各切替部６３１〜６３３，７３４〜７３６の動作を制御する。
すなわち、制御装置５Ｃは、第１の設定時間ＴＣ１内において、中心側領域ＡｒＯでの空気の衝突時間が他の各外周側領域ＡｒＥでの空気の衝突時間よりも長くなるように、各切替部６３１〜６３３，７３４〜７３６の動作を制御する。
また、制御装置５Ｃは、第１の設定時間ＴＣ１内で、２つずつの第１，第２吐出部Ｓ１，Ｓ２から吐出された空気を同時に衝突させる第１状態（各期間Ｔ２〜Ｔ５）と、１つずつの第１，第２吐出部Ｓ１，Ｓ２から吐出された空気を衝突させる第２状態（各期間Ｔ１，Ｔ６）とに切り替える。
そして、制御装置５Ｃは、上述した第１の設定時間ＴＣ１での処理を繰り返し実施する。
【００４１】
上述した第１実施形態によれば、以下の効果がある。
本実施形態では、冷却装置４は、３つずつの第１，第２吐出部Ｓ１，Ｓ２を備える。
このことにより、液晶パネル３６の表面（光入射面）上において、各第１吐出部Ｓ１から吐出された空気と、各第２吐出部Ｓ２から吐出された空気とを衝突させ、当該衝突により生じる乱流を利用して、当該衝突位置付近の領域Ａｒを冷却できる。
そして、冷却装置４は、左，下側流量変更部６３，７３を備えるので、左，下側流量変更部６３，７３を適宜、動作させることで、液晶パネル３６の表面上での空気の衝突位置を変更できる。
【００４２】
すなわち、左，下側流量変更部６３，７３を適宜、動作させて空気の衝突位置を変更すれば、９つの領域Ａｒのうち少なくとも１つの領域Ａｒ毎に空気の衝突を順次、生じさせ、乱流を利用して順次、冷却できる。そして、少なくとも１つの領域Ａｒ毎に乱流を利用して冷却することで、液晶パネル３６の表面全体を冷却できる。
以上のように、液晶パネル３６の表面全体を冷却することで、従来のように光学素子の表面上の光軸が通る位置での空気の衝突により生じる乱流を利用して光学素子の表面全体を冷却する構成と比較して、流量を少なくすることができる。
また、少ない流量で液晶パネル３６の表面全体を冷却できるので、サイズの大きな冷却ファンを必要とせず、小型の冷却ファン６１，７１を用いることができる。したがって、プロジェクター１の小型化が図れるとともに、冷却ファン６１，７１の駆動時の騒音も低減でき、プロジェクター１の静粛性を十分に確保できる。
【００４３】
また、第１，第２吐出部Ｓ１，Ｓ２は、第１，第２中心吐出部Ｓｐ２，Ｓｐ５を備える。
このことにより、第１，第２中心吐出部Ｓｐ２，Ｓｐ５から吐出された空気を衝突させ、当該衝突により生じる乱流を利用して、中心側領域ＡｒＯを冷却できる。すなわち、第１，第２中心吐出部Ｓｐ２，Ｓｐ５を設けることで、液晶パネル３６の表面において、外周側領域ＡｒＥに対して温度の高い中心側領域ＡｒＯで空気の衝突を確実に生じさせ、当該衝突により生じる乱流を利用して中心側領域ＡｒＯを確実に冷却できる。
また、第１吐出部Ｓ１は、第１中心吐出部Ｓｐ２を挟む両側にそれぞれ設けられた上，下側吐出部Ｓｐ１，Ｓｐ３を備える。第２吐出部Ｓ２も同様の左，右側吐出部Ｓｐ４，Ｓｐ６を備える。
このことにより、第１，第２中心吐出部Ｓｐ２，Ｓｐ５の他、各吐出部Ｓｐ１，Ｓｐ３，Ｓｐ４，Ｓｐ６から吐出された空気により、中心側領域ＡｒＯの他、各外周側領域ＡｒＥでも空気の衝突を順次、生じさせ、液晶パネル３６の表面全体を効果的に冷却できる。
【００４４】
さらに、液晶パネル３６の４つの端縁において、左，下側冷却装置６，７が配設される各端縁は、互いに交差する端縁である。
このことにより、左，下側流量変更部６３，７３の構成として、第１，第２吐出部Ｓ１，Ｓ２から空気を吐出させる状態（開放位置に位置付けた状態）、または吐出させない状態（閉塞位置に位置付けた状態）の２つの状態に切り替える構成を採用することができる。
すなわち、左，下側流量変更部６３，７３を上述したように構成しても、制御装置５Ｃは、左，下側流量変更部６３，７３を開放位置または閉塞位置のいずれかに位置付けることで、第１の設定時間ＴＣ１内に、第１，第２吐出部Ｓ１，Ｓ２からの吐出方向の各交差位置の全て（９つの領域Ａｒの全て）で空気を衝突させることができる。
したがって、左，下側流量変更部６３，７３の構成、及び制御装置５Ｃの制御構造を簡素化しつつ、液晶パネル３６の表面全体を効果的に冷却できる。
また、制御装置５Ｃが第１の設定時間ＴＣ１内での処理を繰り返し実施することで、液晶パネル３６の表面全体を継続して効果的に冷却できる。
【００４５】
また、制御装置５Ｃは、第１の設定時間ＴＣ１内において、中心側領域ＡｒＯでの空気の衝突時間が他の各外周側領域ＡｒＥでの空気の衝突時間よりも長くなるように、左，下側流量変更部６３，７３の動作を制御する。
このことにより、第１の設定時間ＴＣ１内で、外周側領域ＡｒＥよりも温度の高い中心側領域ＡｒＯを重点的に冷却できる。
すなわち、液晶パネル３６の表面における温度分布に対応させて、液晶パネル３６の表面全体を効果的に冷却できる。
以上のように、液晶パネル３６の表面全体を効果的に冷却できるため、液晶パネル３６にて形成される画像に色ムラ等が生じることがなく、投影画像の画質を良好に維持できる。
また、第１中心吐出部Ｓｐ２から吐出された空気の流速は、上，下側吐出部Ｓｐ１，Ｓｐ３から吐出された空気の流速よりも大きくなるように設定されている。同様に、第２中心吐出部Ｓｐ５から吐出された空気の流速も、左，右側吐出部Ｓｐ４，Ｓｐ６から吐出された空気の流速よりも大きくなるように設定されている。
したがって、上述した衝突時間に加えて、流速を上述したように設定することで、中心側領域ＡｒＯをさらに効果的に冷却できる。
【００４６】
さらに、本実施形態では、制御装置５Ｃは、第１の設定時間ＴＣ１内で、２つずつの第１，第２吐出部Ｓ１，Ｓ２から吐出された空気を衝突させる第１状態（各期間Ｔ２〜Ｔ５）と、１つずつの第１，第２吐出部Ｓ１，Ｓ２から吐出された空気を衝突させる第２状態（各期間Ｔ１，Ｔ６）に切り替える。
このことにより、９つの領域Ａｒのうち、２つの領域Ａｒで空気の衝突を同時に生じさせることができる。
このため、全ての領域Ａｒで空気の衝突を終えるまでの時間（第１の設定時間ＴＣ１）を短くすることができる。
したがって、制御装置５Ｃが第１の設定時間ＴＣ１内での処理を繰り返し実施する際、ある周期から次の周期に移行するまでの液晶パネル３６の温度上昇を抑制し、液晶パネル３６の温度を低い状態で良好に維持できる。
【００４７】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
図５は、第２実施形態における冷却装置４の構成を模式的に示す図である。具体的に、図５は、図２に対応した図である。
前記第１実施形態では、各吐出部Ｓｐ１〜Ｓｐ６内部にそれぞれ切替部６３１〜６３３，７３４〜７３６が設けられていた。
これに対して、第２実施形態では、上，右側吐出部Ｓｐ１，Ｓｐ６内部に設けられた上，右側切替部６３１，７３６が省略されている。
すなわち、３つの第１吐出部Ｓ１のうち、下端縁に最も離間した左端縁側から空気を吐出する上側吐出部Ｓｐ１を除く２つの吐出部Ｓｐ２，Ｓｐ３と、３つの第２吐出部Ｓ２のうち、左端縁に最も離間した下端縁側から空気を吐出する右側吐出部Ｓｐ６を除く２つの吐出部Ｓｐ４，Ｓｐ５とに切替部６３２，６３３，７３４，７３５が設けられている。
そして、第１中心切替部６３２及び下側切替部６３３が本発明に係る第１流量変更部６３０（図５）に相当し、左側切替部７３４及び第２中心切替部７３５が本発明に係る第２流量変更部７３０（図５）に相当する。
すなわち、第２実施形態では、常時、上，右側吐出部Ｓｐ１，Ｓｐ６から空気が吐出される状態となっている。
また、第２実施形態の制御装置５Ｃは、上，右側切替部６３１，７３６が省略されたことに伴い、前記第１実施形態とは異なる処理を実施する。
【００４８】
図６は、第２実施形態における制御装置５Ｃによる処理を説明するための図である。具体的に、図６（Ａ）は図４（Ａ）に対応した図であり、図６（Ｂ）は図４（Ｂ）に対応した図である。
なお、上述したように第２実施形態では上，右側切替部６３１，７３６が省略されているが、図６（Ａ）では、説明の便宜上、上，右側切替部６３１，７３６が常時、「ＯＮ」の状態に設定されているものとしている。
先ず、制御装置５Ｃは、第１の設定時間ＴＣ１よりも短い時間である第２の設定時間ＴＣ２を５等分した第１〜第５期間Ｔ１〜Ｔ５（前記第１実施形態で説明した各期間Ｔ１〜Ｔ５と同一の期間）のうち第１期間Ｔ１において、全ての切替部６３２，６３３，７３４，７３５を開放状態に位置付ける。
そして、第１期間Ｔ１では、下，左側吐出部Ｓｐ３，Ｓｐ４から吐出された空気により、「Ｇ」の文字が付された外周側領域ＡｒＥにて空気の衝突が生じる。
また、第１，第２中心吐出部Ｓｐ２，Ｓｐ５から吐出された空気により、「Ｅ」の文字が付された中心側領域ＡｒＯにて空気の衝突が生じる。
さらに、上，右側吐出部Ｓｐ１，Ｓｐ６から吐出された空気により、「Ｃ」の文字が付された外周側領域ＡｒＥにて空気の衝突が生じる。
【００４９】
次に、制御装置５Ｃは、第２期間Ｔ２において、第１中心切替部６３２、下側切替部６３３、及び第２中心切替部７３５を開放位置に位置付け、他の左側切替部７３４を閉塞位置に位置付ける。
そして、第２期間Ｔ２では、下側吐出部Ｓｐ３及び第２中心吐出部Ｓｐ５から吐出された空気により、「Ｈ」の文字が付された外周側領域ＡｒＥにて空気の衝突が生じる。
また、第１中心吐出部Ｓｐ２及び右側吐出部Ｓｐ６から吐出された空気により、「Ｆ」の文字が付された外周側領域ＡｒＥにて空気の衝突が生じる。
なお、上側吐出部Ｓｐ１から吐出された空気は、「Ａ」の文字が付された外周側領域ＡｒＥ、「Ｂ」の文字が付された外周側領域ＡｒＥ、及び「Ｃ」の文字が付された外周側領域ＡｒＥの順に層流（乱れを含まない流れ）の状態で流通する。
【００５０】
次に、制御装置５Ｃは、第３期間Ｔ３において、第１中心切替部６３２、左側切替部７３４、及び第２中心切替部７３５を開放位置に位置付け、他の下側切替部６３３を閉塞位置に位置付ける。
そして、第３期間Ｔ３では、第１中心吐出部Ｓｐ２及び左側吐出部Ｓｐ４から吐出された空気により、「Ｄ」の文字が付された外周側領域ＡｒＥにて空気の衝突が生じる。
また、上側吐出部Ｓｐ１及び第２中心吐出部Ｓｐ５から吐出された空気により、「Ｂ」の文字が付された外周側領域ＡｒＥにて空気の衝突が生じる。
なお、右側吐出部Ｓｐ６から吐出された空気は、「Ｉ」の文字が付された外周側領域ＡｒＥ、「Ｆ」の文字が付された外周側領域ＡｒＥ、及び「Ｃ」の文字が付された外周側領域ＡｒＥの順に層流の状態で流通する。
【００５１】
次に、制御装置５Ｃは、第４期間Ｔ４において、左側切替部７３４及び第２中心切替部７３５を開放位置に位置付け、他の切替部６３２，６３３を閉塞位置に位置付ける。
そして、第４期間Ｔ４では、上，左側吐出部Ｓｐ１，Ｓｐ４から吐出された空気により、「Ａ」の文字が付された外周側領域ＡｒＥにて空気の衝突が生じる。
なお、第２中心吐出部Ｓｐ５から吐出された空気は、「Ｈ」の文字が付された外周側領域ＡｒＥ、「Ｅ」の文字が付された外周側領域ＡｒＥ、及び「Ｂ」の文字が付された外周側領域ＡｒＥの順に層流の状態で流通する。
また、右側吐出部Ｓｐ６から吐出された空気は、「Ｉ」の文字が付された外周側領域ＡｒＥ、「Ｆ」の文字が付された外周側領域ＡｒＥ、及び「Ｃ」の文字が付された外周側領域ＡｒＥの順に層流の状態で流通する。
【００５２】
次に、制御装置５Ｃは、第５期間Ｔ５において、第１中心切替部６３２及び下側切替部６３３を開放位置に位置付け、他の切替部７３４，７３５を閉塞位置に位置付ける。
そして、第５期間Ｔ５では、下，右側吐出部Ｓｐ３，Ｓｐ６から吐出された空気により、「Ｉ」の文字が付された外周側領域ＡｒＥにて空気の衝突が生じる。
なお、上側吐出部Ｓｐ１から吐出された空気は、「Ａ」の文字が付された外周側領域ＡｒＥ、「Ｂ」の文字が付された外周側領域ＡｒＥ、及び「Ｃ」の文字が付された外周側領域ＡｒＥの順に層流の状態で流通する。
また、第１中心吐出部Ｓｐ２から吐出された空気は、「Ｄ」の文字が付された外周側領域ＡｒＥ、「Ｅ」の文字が付された外周側領域ＡｒＥ、及び「Ｆ」の文字が付された外周側領域ＡｒＥの順に層流の状態で流通する。
【００５３】
以上のように、制御装置５Ｃは、前記第１実施形態と同様に、第２の設定時間ＴＣ２内において、各吐出部Ｓｐ１〜Ｓｐ６からの吐出方向の各交差位置の全てで空気の衝突を生じさせる。
具体的には、制御装置５Ｃは、図６（Ｂ）に示すように、「Ａ」〜「Ｉ」の文字が付された各領域ＡｒＯ，ＡｒＥにて空気の衝突発生回数が１回となるように、各切替部６３２，６３３，７３４，７３５の動作を制御する。
そして、制御装置５Ｃは、上述した第２の設定時間ＴＣ２での処理を繰り返し実施する。
【００５４】
上述した第２実施形態によれば、前記第１実施形態と同様の効果の他、以下の効果がある。
本実施形態では、冷却装置４は、２つずつの第１，第２流量変更部６３０，７３０を備える。
このことにより、制御装置５Ｃが２つずつの第１，第２流量変更部６３０，７３０の動作を適宜、制御することで、９つの領域Ａｒのうち、３つの領域Ａｒで空気の衝突を同時に生じさせたり、２つの領域Ａｒで空気の衝突を同時に生じさせたりすることができる。
このため、全ての領域Ａｒで空気の衝突を終えるまでの時間（第２の設定時間ＴＣ２）を短くすることができる。
したがって、制御装置５Ｃが第２の設定時間ＴＣ２内での処理を繰り返し実施する際、ある周期から次の周期に移行するまでの液晶パネル３６の温度上昇を抑制し、液晶パネル３６の温度を低い状態で良好に維持できる。
また、左，下側流量変更部６３，７３の数を低減できるため、冷却装置４の構造の簡素化が図れるとともに、制御装置５Ｃによる処理負荷も軽減できる。
【００５５】
なお、本発明は前述の実施形態に限定されるものではなく、本発明の目的を達成できる範囲での変形、改良等は本発明に含まれるものである。
前記各実施形態では、冷却流体として空気を利用していたが、これに限らず、水やエチレングリコール等の液体を冷却流体として利用しても構わない。
前記各実施形態では、冷却対象として、液晶パネル３６を採用していたが、これに限らず、偏光変換素子３２３、入射側偏光板３５、あるいは、出射側偏光板３７等の他の光学素子を冷却対象としても構わない。
【００５６】
前記各実施形態では、冷却対象として、１つの光学素子（液晶パネル３６）のみを採用していたが、２つ以上の光学素子を冷却対象としても構わない。
例えば、入射側偏光板３５及び液晶パネル３６を冷却対象とした場合には、入射側偏光板３５及び液晶パネル３６の隙間に空気を吐出すれば、入射側偏光板３５の光出射面全体、及び液晶パネル３６の光入射面全体を簡素な構造で効率的に冷却できる。
【００５７】
前記各実施形態では、冷却装置４は、Ｒ，Ｇ，Ｂ色光側の液晶パネル３６に対応させてそれぞれ設けられていたが、これに限らず、いずれか１つのみに対応させて１つのみ設けてもよく、いずれか２つのみに対応させて２つのみ設けてもよい。
また、冷却ファン６１，７１は、１つのダクト６２，７２に対応させて１つずつ設けられていたが、これに限らない。
例えば、２つのダクトに１つの冷却ファンを共通に用いてもよい。
また、例えば、各吐出部Ｓｐ１〜Ｓｐ６に対応させて冷却ファンをそれぞれ設けてもよく、各吐出部Ｓｐ１〜Ｓｐ６の少なくとも２つに１つの冷却ファンを共通に用いてもよい。
【００５８】
前記各実施形態では、第１吐出部Ｓ１は、３つ設けられていたが、これに限らず、２つ、あるいは、４つ以上でも構わない。第２吐出部Ｓ２も同様である。
また、第１，第２吐出部Ｓ１，Ｓ２は、同一の数（３つ）、設けられていたが、これに限らず、異なる数となるように構成しても構わない。
前記各実施形態では、左，下側冷却装置６，７は、液晶パネル３６の左，下端縁にそれぞれ設けられていたが、これに限らず、その他の端縁、例えば、上，下端縁にそれぞれ設けた構成を採用しても構わない。
【００５９】
前記各実施形態では、左，下側流量変更部６３，７３は、第１，第２吐出部Ｓ１，Ｓ２から空気を吐出させる状態、または吐出させない状態の２つの状態に切り替える構成を採用していたが、これに限らない。
すなわち、左，下側流量変更部６３，７３としては、第１，第２吐出部Ｓ１，Ｓ２から吐出される空気の流量をそれぞれ変更する構成であれば、その他の構成でも構わない。
前記各実施形態において、制御装置５Ｃによる処理としては、図４や図６に示す処理に限らず、その他の処理、例えば、以下に示す処理を採用しても構わない。
【００６０】
図７は、前記各実施形態の変形例を示す図である。具体的に、図７（Ａ）は、第１実施形態とは異なるタイミングで左，下側流量変更部６３，７３を制御した場合での左，下側流量変更部６３，７３の駆動のタイミングチャートである。図７（Ｂ）は、図７（Ａ）に示すタイミングで左，下側流量変更部６３，７３を制御した際に、所定の設定時間ＴＣ０内において、９つの領域Ａｒで生じた空気の衝突発生回数を示している。
なお、図７（Ａ）では、制御装置５Ｃは、所定の設定時間ＴＣ０内に一貫して、１つずつの第１，第２吐出部Ｓ１，Ｓ２から吐出された空気を衝突させるように、左，下側流量変更部６３，７３を制御している。また、制御装置５Ｃは、設定時間ＴＣ０内において、図７（Ｂ）に示すように、中心側領域ＡｒＯでの空気の衝突発生回数が３回、各外周側領域ＡｒＥのうち、光軸Ａｘに近接した「Ｂ」、「Ｄ」、「Ｆ」、「Ｈ」の文字が付された各外周側領域ＡｒＥでの空気の衝突発生回数が２回、残りの「Ａ」、「Ｃ」、「Ｇ」、「Ｉ」の文字が付された各外周側領域ＡｒＥでの空気の衝突発生回数が１回となるように、左，下側流量変更部６３，７３を制御している。
【００６１】
前記各実施形態では、液晶パネル３６は、３つ設けられていたが、その数は３つに限らず、１つ、２つ、あるいは、４つ以上であっても構わない。
前記各実施形態では、光変調装置として透過型の液晶パネル３６を採用していたが、これに限らず、反射型の液晶パネルを採用してもよく、あるいは、マイクロミラーを用いたデバイス等、液晶以外の光変調装置を採用しても構わない。
前記各実施形態では、スクリーンを観察する方向から投射を行うフロントタイプのプロジェクターの例のみを挙げたが、本発明は、スクリーンを観察する方向とは反対側から投射を行うリアタイプのプロジェクターにも適用可能である。
【産業上の利用可能性】
【００６２】
本発明は、プレゼンテーションやホームシアターに用いられるプロジェクターに利用できる。
【符号の説明】
【００６３】
１・・・プロジェクター、４・・・冷却装置、５Ｃ・・・制御装置、３６・・・液晶パネル（光学素子）、６３，７３・・・左，下側流量変更部、６３０，７３０・・・第１，第２流量変更部、Ａｘ・・・光軸、ＡｒＯ・・・中心側領域、ＡｒＥ・・・外周側領域、Ｓ１・・・第１吐出部、Ｓ２・・・第２吐出部、Ｓｐ１，Ｓｐ３・・・上，下側吐出部（第１外周吐出部）、Ｓｐ２・・・第１中心吐出部、Ｓｐ４，Ｓｐ６・・・左側吐出部（第２外周吐出部）、Ｓｐ５・・・第２中心吐出部、ＴＣ１，ＴＣ２・・・第１，第２の設定時間。
【図１】
2013109128.tif 000003
【図２】
2013109128.tif 000004
【図３】
2013109128.tif 000005
【図４】
2013109128.tif 000006
【図５】
2013109128.tif 000007
【図６】
2013109128.tif 000008
【図７】
2013109128.tif 000009